(57)【要約】      （修正有）【課題】少量のデザインサンプル用等として、インクジェットプリンターでプリントした画像を、シュリンクフィルムに迅速に転写できるインクジェット用の転写シートセットである。【解決手段】シート基材に離型剤を塗布した離型シートの表面にインク受像層を設けた転写用紙と、透明シュリンクフイルムの表面に接着剤を積層した被転写フィルムとの両者で構成したもの、また転写用紙のインク受像層には、透明または白色の合成樹脂層の上面に吸水性合成樹脂層を積層したことを特徴としている。【選択図】 図１
2006289920.tif 000002
【特許請求の範囲】
【請求項１】
シート基材（５）の表面に離型剤（６）を塗布した離型シート（３）を有し、該離型シート（３）の表面にインク受像層（７）を積層した転写用紙（１）を設け、透明シュリンクフィルム（８）の表面に透明な接着剤（９）を積層した被転写フィルム（２）を設け、該転写用紙（１）と該被転写フィルム（２）との両者の組合せによって構成したことを特徴とする転写シートセット。
【請求項２】
請求項１の該転写用紙（１）の該インク受像層（７）には、透明または白色の合成樹脂層（１１）の上面に透明な吸水性合成樹脂層（１０）を積層したことを特徴とする転写シートセット。
【請求項３】
請求項１の該被転写フィルム（２）の接着剤としては、ホットメルト接着剤（９）を用いることを特徴とする請求項１の転写シートセット。
【発明の詳細な説明】
【技術分野】
【０００１】  本発明は、少量のデザインサンプル用などとして、インクジェットプリンターでプリントした画像を、シュリンクフィルムに迅速に転写できるインクジェット用の転写シートセットに関するものである。
【背景技術】
【０００２】  従来、この種の熱をかけると収縮するシュリンクフィルムに画像をプリントするには、シルクスクリーン印刷またはアルプス電気株式会社が提供している熱転写型プリンターなどが用いられている。
しかしながら、シルクスクリーン印刷では、印刷のための版を作成する必要があり、少量の制作には適していないばかりか、写真などの連続諧調のある画像は事実上制作が大変に困難であった。また、熱転写型プリンターはシュリンクフィルムに直接プリントアウトできる利点があるが、プリントスピードが遅い上、写真などの微妙なトーン（諧調）を正確に表現することができず、さらに昨今のインクジェットプリンターの普及により、生産が縮小あるいは停止され、使用者にとって供給上の不安を抱える状態になっている問題点がある。
【発明の開示】
【発明が解決しようとする課題】
【０００３】  本発明は上記問題点に鑑み、昨今普及の著しいインクジェットプリンターを用いて、シュリンクフィルムに簡便且つ迅速に画像が転写でき、デザイン業務におけるサンプル作りなどの少量制作が容易且つ正確に行われるための材料と方法を提供するものである。
【課題を解決するための手段】
【０００４】  本発明は、上記目的を達成するために、インクジェット用の転写シートセットにおいて、シート素材の表面に離型剤を塗布した離型シートを有し、この離型シートの表面にインク受像層を積層して転写用紙を設ける。また、透明シュリンクフィルムの表面には、透明な接着剤を積層した被転写フィルムを設ける。この該転写用紙と該被転写フィルムとの両者の組合せによって転写シートセットを構成する。
また、該転写用紙に用いるインク受像層は、透明かまたは白色の合成樹脂層の上面に透明な吸水性合成樹脂層を積層したものである。
更に、該被転写フィルムの接着剤としては、ホットメルトタイプの接着剤を使用するものである。
【発明の効果】
【０００５】  本発明の転写シートセットによれば、従来のシルク印刷や熱転写型プリンターよりインクジェットプリンターを用いるため、仕上がりの精度の高い作品を制作できる効果と、印刷用の版が不要となるため、少数量でものでも安価に制作できる効果がある。
また、プリント後にも転写用紙と被転写フィルムとを重ねて熱ローラーに通すだけの簡便な作業操作のために、唯人でも失敗なく、瞬時によって制作できる効果がある。
更に、白い裏打ち付き、または透明タイプの仕上がりを簡単に選定できると共に、インクや溶剤を全く使わずに制作できるため、匂いや汚れなどの心配がなく、作業環境が悪化しない効果もある。
また、本発明の転写シートセットにより、カラーレーザープリンター、及び熱転写型プリンターで出力した画像も、同様な手順でシュリンクフィルムに転写が可能となるため、広く一般のプリント機器にも使用できる特徴もある。
【発明を実施するための最良の形態】
【０００６】  次に、本発明の転写シートセットによる最良の方法を説明すると、まず転写用紙（１）にインクジェットプリンターを用いて左右正像で画像を出力する。次に該画像面に被転写フィルム（２）のホットメルト接着剤（９）面を当て、重合された両者をポリエステルフィルム（１４）（１４）の間に挟み、ラミネーター等の加熱プレスローラー（１５）（１５）の間に通紙する。この際、透明シュリンクフィルム（８）に熱が加えられて収縮しようとするが、該ポリエステルフィルム（１４）（１４）に密着している上、上下から該加熱プレスローラー（１５）（１５）の圧力が加わることにより収縮が阻止される。該加熱プレスローラー（１５）を通過後、該転写用紙（１）のシート基材（５）を剥離すると、該ホットメルト接着剤（９）の作用によりインク受像層（７）は該透明シュリンクフィルム（８）側に接着して転写が完成する。出来上がった該被転写フィルム（２）は、該ホットメルト接着剤（９）が積層されていない方の面から透かしてインク画像（１２）を鑑賞するものである。
【実施例】
【０００７】  本発明のインクジェット用の転写シートセットにおいては、図１（イ）に示す如く、シート基材（５）の表面に離型剤（６）を塗布した離型シート（３）の表面にインク受像層（７）を積層した転写用紙（１）を構成し、次に図１（ロ）に示すものは、透明シュリンクフィルム（８）の表面に透明なホットメルト接着剤（９）を積層した被転写フィルム（２）を構成する。次に、図２に示すものは、転写用紙（１）における該インク受像層（７）には、ポリビニルアルコール等の吸水性合成樹脂を使用し、この透明な吸水性合成樹脂層（１０）の下層には、透明または白色の合成樹脂層（１１）を積層する。この積層することによって、転写される画像を透明または白打ちされた不透明にすることが可能となるものである。
次に、図３に示すものは、該転写用紙（１）のインク画像（１２）（１２）に該被転写フィルム（２）のホットメルト接着剤（９）の面を当てて重合したものをポリエステルフィルム（１４）（１４）の間に挟み、これを相対する加熱プレスローラー（１５）（１５）の間を矢印の如く通過させる。また、図４に示すものは、該転写用紙（１）と該被転写フィルム（２）が該ポリエステルフィルム（１４）（１４）から収縮しないで取り出された両者の該転写用紙（１）の該シート基材（５）の該離型シート（３）を剥離する状態をあらわしている。該被転写フィルム（２）に使用する接着剤は、好ましくは、１８０℃以下の与熱により接着性を発現するポリウレタン等のホットメルト接着剤（９）を用いることが良好である。透明シュリンクフィルム（８）の構成材料としては、材質は塩化ビニル樹脂、ＰＥＴ樹脂、スチロール樹脂等の４０乃至７０ミクロンの厚さの透明な１軸シュリンクフィルムを用いる。
なお、油性タイプのインクジェットプリンターを用いて転写作業を行う場合は、該転写用紙（１）に積層されるインク受像層（７）は、吸水性合成樹脂である必要はなく、アクリル樹脂あるいはシリカ（微粒二酸化ケイ素）等の無機材料を含めた、インク定着性の良好な皮膜を用いることで目的は達成できるものである。また、該被転写フィルム（２）に積層する接着剤は、本発明では余熱により粘着性の生じるホットメルト接着剤（９）を用いることが好ましいが、熱プレス装置のない状況下で転写作業を実施する場合には、常温粘着性を有する粘着剤を塗布積層しておくことにより、転写作業の際に機器を用いることなく、手による圧着作業のみで転写が可能となるものである。
なお、常温粘着剤よりもホットメルト接着剤の方が好ましい理由は、ホットメルト接着剤では、加熱と加圧が一瞬に行われることにより、転写画像と被転写フィルム（２）との間に気泡が入らず、密着性の良好な美しい仕上がりが得られるためである。また、常温粘着剤を用いる場合は、材料の保管の際、粘着剤の上に剥離紙を当てておかねばならず、コストと手間がかかる欠点も有している。
【実験例】
【０００８】  該転写用紙（１）は、８０ｇ／ｍ２のコート紙にシリコン系離型剤を塗布した離型シート（３）を用い、その上にアクリル系樹脂（白色）をスクリーン印刷機により塗布積層した。更にその上に吸水性合成樹脂層（１０）として透明なポリビニルアルコールをスクリーン印刷機により塗布積層した。
また、被転写フィルム（２）は、厚さ７０ミクロンの塩ビ系１軸透明シュリンクフィルム（８）を用いて、ホットメルト接着剤として透明ポリウレタン樹脂をスクリーン印刷機により塗布積層したものである。
【０００９】  次に、該転写用紙（１）にキャノン製インクジェットプリンターＢＪ−Ｆ９００を用いてカラーイラスト画像をプリントアウトし、画像面を被転写フィルム（２）に合わせて重ね、５０ミクロン厚のポリエステルフィルム（１４）（１４）を二つ折りにしたものに挟み込み、ラミネート機を用いて、１６０℃、０．３ｍ／ｓｅｃのスピードで熱ローラーの間を通過させた。出てきたシートの該転写用紙（１）を剥がすと、インクジェットの画像は白い裏打ちを施された状態で透明シュリンクフィルム（８）に転写された。
該転写用紙（１）のアクリル系樹脂を透明なもので作成して、同様の手順で行った場合は、白い裏打ちのない透明色でカラーイラスト画像が透明シュリンクフィルム（８）に転写された。
【図面の簡単な説明】
【００１０】
【図１】  本発明の（イ）図に示すものは、転写用紙の縦断側面図であり、（ロ）図に示すものは、被転写フィルムにおける縦断側面図である。
【図２】  同じく本発明の請求項２のインク受像層を持つ転写用紙の縦断側面図である。
【図３】  本発明の転写用紙と被転写フィルムとを重合し、二つ折りのポリエステルフィルムに挟み、加熱プレスローラーに挿通する状態の縦断側面図である。
【図４】  同じく本発明の被転写フィルムより転写用紙の一部を剥離した状態を示す縦断側面図である。
【符号の説明】
【００１１】１          転写用紙
２          被転写フィルム
３          離型シート
５          シート基材
６          離型剤
７          インク受像層
８          透明シュリンクフィルム
９          ホットメルト接着剤
１０        吸水性合成樹脂層
１１        透明または白色の合成樹脂層
１２        インク画像
１４        ポリエステルフィルム
１５        加熱プレスローラー
【図１】
2006289920.tif 000003
【図２】
2006289920.tif 000004
【図３】
2006289920.tif 000005
【図４】
2006289920.tif 000006